(57)【要約】【課題】従来技術では、不純物による汚染情報の取得しかできず、具体策を迅速に実施する構成は開示されておらず、再洗浄が遅れて汚染された製品が出荷されたり、前記汚染情報に基づき製品の再洗浄等の対策を繰り返すだけでは、汚染原因そのものが解消できず汚染が再発する可能性が高い、という問題があった。【解決手段】被洗浄物を洗浄して得た採取液に含まれる不純物を分析して汚染レベル又は汚染原因を特定する不純物分析手段２２と、該不純物分析手段２２によって求めた前記汚染レベル等の汚染情報を各加工処理プロセス２４に伝達する監視通信手段２３と、該監視通信手段２３にインターネット等のネットワーク２９を介して接続される情報端末２６とから構成され、汚染状態が所定の汚染レベルを超えた場合に前記監視通信手段２３が汚染警報を発すると共に、前記汚染情報を汚染に関わる関係加工処理プロセスの情報端末２６に伝達する構成とした。【選択図】      図１
2006349378.tif 000002
【特許請求の範囲】
【請求項１】
被洗浄物を洗浄して得た採取液に含まれる不純物を分析して汚染レベルまたは汚染原因を特定する不純物分析手段と、該不純物分析手段によって求めた前記汚染レベル等の汚染情報を各加工処理プロセスに伝達する監視通信手段と、該監視通信手段にインターネット等のネットワークを介して接続される情報端末とから構成され、汚染状態が所定の汚染レベルを超えた場合に、前記監視通信手段が汚染警報を発すると共に、前記汚染情報を汚染に関わる関係加工処理プロセスの情報端末に伝達することを特徴とする汚染監視システム。
【請求項２】
液体や気体からなる制御流体中に混入した不純物を分析して汚染レベルまたは汚染原因を特定する不純物分析手段と、該不純物分析手段によって求めた前記汚染レベル等の汚染情報を各流体駆動プロセスに伝達する監視通信手段と、該監視通信手段にインターネット等のネットワークを介して接続される情報端末とから構成され、汚染状態が所定の汚染レベルを超えた場合に、前記監視通信手段が汚染警報を発すると共に、前記汚染情報を所定の汚染レベルを超えた流体制御機器のある流体駆動プロセスの情報端末に伝達することを特徴とする汚染監視システム。
【請求項３】
前記不純物分析手段には撮像手段を備え、該撮像手段は、走査することによって不純物を撮影するラインセンサカメラを有することを特徴とする請求項１または請求項２記載の汚染監視システム。
【請求項４】
前記不純物分析手段または監視通信手段には記憶手段を備え、該記憶手段は、測定による不純物の大きさや形状等の実績情報から成る実績情報データベース、前記汚染レベルを判定するための規格モデルや前記汚染警報を発する基準となる所定の汚染レベル等の分析情報から成る分析情報データベース、及び該実績情報データベースと分析情報データベースとから得られた汚染情報から成る汚染情報データベースを有することを特徴とする請求項１または請求項２または請求項３記載の汚染監視システム。
【請求項５】
前記不純物分析手段または監視通信手段には記憶手段を備え、該記憶手段は、測定による不純物の最大径や形状等の実績情報から成る実績情報データベース、不純物の外観特性と不純物の種類や加工の方法等との間の対応関係を示す不純物情報から成る不純物情報データベース、各加工処理プロセスで発生する不純物に関するプロセス情報から成るプロセス情報データベース、及び該実績情報データベースを元に前記不純物情報データベースとプロセス情報データベースとから推定した前記関係加工処理プロセス等の汚染情報から成る汚染情報データベースを有することを特徴とする請求項１または請求項２または請求項３記載の汚染監視システム。
【発明の詳細な説明】
【技術分野】
【０００１】
本発明は、各加工処理プロセスまたは流体駆動プロセスにおける汚染監視システムに関し、特に、削り屑、摩耗粉、砂等の固形物（以下、「不純物」とする）が、機械加工品（金属製、樹脂製、ガラス製等）等の製品表面へ付着したり、該不純物が、作動油等の液体やフロンガス等の気体からなる流体によって制御される制御機械、加工機械、建設機械等の流体制御機器において、その流体駆動回路内を流れる制御流体中へ混入するのを防止するための汚染監視システムに関する。
【背景技術】
【０００２】
従来より、製品表面への不純物の付着については、例えば、本発明者による特許文献１のように、製品を洗浄水で洗浄して得られた採取液から不純物を抽出し、該不純物をラインセンサカメラにより撮影し、その撮影した不純物の画像に対して画像処理等を行うことにより、不純物に関する情報を取得する技術が公知となっている。
また、建設機械における油圧駆動回路の作動油中への不純物の混入については、例えば、特許文献２のように、セルに形成した流路を挟むようにして発光素子と受光素子を配置し、該発光素子から照射したレーザ光を流路内の作動油を透過させてから受光素子で受けることにより、不純物に関する情報を取得する技術が公知となっている。
【特許文献１】特開２００５−２４４７８号公報
【特許文献２】特開２００１−２２１７９３号公報
【発明の開示】
【発明が解決しようとする課題】
【０００３】
しかしながら、いずれも、不純物に関する情報、例えば不純物度数分布や汚染レベル等の汚染情報しか取得できず、製品の再洗浄や、作動油のような制御流体の交換等の対策を迅速に実施するための構成は何ら開示されていないため、再洗浄のタイミングが遅れて汚染されたままの製品が出荷されたり、制御流体交換のタイミングが遅れて流体制御機器が損傷する恐れがある、という問題があった。
【０００４】
また、前記汚染情報にもとづいて製品の再洗浄や制御流体の交換等の対策を繰り返すだけでは、汚染原因そのものが解消できず、不純物の付着や混入が再発する可能性が高い、という問題があった。
【課題を解決するための手段】
【０００５】
本発明の解決しようとする課題は以上の如くであり、次にこの課題を解決するための手段を説明する。
すなわち、請求項１においては、被洗浄物を洗浄して得た採取液に含まれる不純物を分析して汚染レベルまたは汚染原因を特定する不純物分析手段と、該不純物分析手段によって求めた前記汚染レベル等の汚染情報を各加工処理プロセスに伝達する監視通信手段と、該監視通信手段にインターネット等のネットワークを介して接続される情報端末とから構成され、汚染状態が所定の汚染レベルを超えた場合に、前記監視通信手段が汚染警報を発すると共に、前記汚染情報を汚染に関わる関係加工処理プロセスの情報端末に伝達するものである。
請求項２においては、液体や気体から成る制御流体中に混入した不純物を分析して汚染レベルまたは汚染原因を特定する不純物分析手段と、該不純物分析手段によって求めた前記汚染レベル等の汚染情報を各流体駆動プロセスに伝達する監視通信手段と、該監視通信手段にインターネット等のネットワークを介して接続される情報端末とから構成され、汚染状態が所定の汚染レベルを超えた場合に、前記監視通信手段が汚染警報を発すると共に、前記汚染情報を所定の汚染レベルを超えた流体制御機器のある流体駆動プロセスの情報端末に伝達するものである。
請求項３においては、前記不純物分析手段には撮像手段を備え、該撮像手段は、走査することによって不純物を撮影するラインセンサカメラを有するものである。
請求項４においては、前記不純物分析手段または監視通信手段には記憶手段を備え、該記憶手段は、測定による不純物の大きさや形状等の実績情報から成る実績情報データベース、前記汚染レベルを判定するための規格モデルや前記汚染警報を発する基準となる所定の汚染レベル等の分析情報から成る分析情報データベース、及び該実績情報データベースと分析情報データベースとから得られた汚染情報から成る汚染情報データベースを有するものである。
請求項５においては、前記不純物分析手段または監視通信手段には記憶手段を備え、該記憶手段は、測定による不純物の最大径や形状等の実績情報から成る実績情報データベース、不純物の外観特性と不純物の種類や加工の方法等との間の対応関係を示す不純物情報から成る不純物情報データベース、各加工処理プロセスで発生する不純物に関するプロセス情報から成るプロセス情報データベース、及び該実績情報データベースを元に前記不純物情報データベースとプロセス情報データベースとから推定した前記関係加工処理プロセス等の汚染情報から成る汚染情報データベースを有するものである。
【発明の効果】
【０００６】
本発明は、以上のように構成したので、以下に示す効果を奏する。
すなわち、請求項１においては、被洗浄物を洗浄して得た採取液に含まれる不純物を分析して汚染レベルまたは汚染原因を特定する不純物分析手段と、該不純物分析手段によって求めた前記汚染レベル等の汚染情報を各加工処理プロセスに伝達する監視通信手段と、該監視通信手段にインターネット等のネットワークを介して接続される情報端末とから構成され、汚染状態が所定の汚染レベルを超えた場合に、前記監視通信手段が汚染警報を発すると共に、前記汚染情報を汚染に関わる関係加工処理プロセスの情報端末に伝達するので、汚染警報を発して製品の再洗浄を迅速に実施することができ、汚染されたままの製品がそのまま出荷されるのを防止することができる。更には、汚染に関わる加工処理プロセス（以下、「関係加工処理プロセス」とする）を特定して加工条件等の適正化を図り、汚染の原因となる不純物の発生自体を抑制して、汚染の再発を確実に防止することができる。
請求項２においては、液体や気体から成る制御流体中に混入した不純物を分析して汚染レベルまたは汚染原因を特定する不純物分析手段と、該不純物分析手段によって求めた前記汚染レベル等の汚染情報を各流体駆動プロセスに伝達する監視通信手段と、該監視通信手段にインターネット等のネットワークを介して接続される情報端末とから構成され、汚染状態が所定の汚染レベルを超えた場合に、前記監視通信手段が汚染警報を発すると共に、前記汚染情報を所定の汚染レベルを超えた流体制御機器のある流体駆動プロセスの情報端末に伝達するので、汚染警報を発して所定の汚染レベルを超えた流体制御機器の制御流体の交換を迅速に実施することができ、流体制御機器が損傷するのを防止することができる。更には、汚染に関わる流体制御機器構成部（以下、「関係流体制御機器構成部」とする）を特定して動作条件等の適正化を図り、汚染の原因となる不純物の発生自体を抑制して、汚染の再発を確実に防止することができる。
請求項３においては、前記不純物分析手段には撮像手段を備え、該撮像手段は、走査することによって不純物を撮影するラインセンサカメラを有するので、エリアセンサカメラに比べてレンズ収差等による誤差が小さく、不純物の大きさ、形状、色等の外観特性を精度良く取得することができるため、不純物度数分布、汚染レベル、汚染異常有無等の汚染情報の精度を大きく向上させることができる。
請求項４においては、前記不純物分析手段または監視通信手段には記憶手段を備え、該記憶手段は、測定による不純物の大きさや形状等の実績情報から成る実績情報データベース、前記汚染レベルを判定するための規格モデルや前記汚染警報を発する基準となる所定の汚染レベル等の分析情報から成る分析情報データベース、及び該実績情報データベースと分析情報データベースとから得られた汚染情報から成る汚染情報データベースを有するので、不純物度数分布の取得、該不純物度数分布や所定の規格モデルによる分布に基づいた汚染レベルの判定、汚染異常有無の判定を行うことができる。
請求項５においては、前記不純物分析手段または監視通信手段には記憶手段を備え、該記憶手段は、測定による不純物の最大径や形状等の実績情報から成る実績情報データベース、不純物の外観特性と不純物の種類や加工の方法等との間の対応関係を示す不純物情報から成る不純物情報データベース、各加工処理プロセスで発生する不純物に関するプロセス情報から成るプロセス情報データベース、及び該実績情報データベースを元に前記不純物情報データベースとプロセス情報データベースとから推定した前記関係加工処理プロセス等の汚染情報から成る汚染情報データベースを有するので、加工処理プロセスの製品については、不純物付着に関係する加工処理プロセスの特定や加工条件等の適正化を図ることができ、流体駆動プロセスの流体制御機器については、制御流体への不純物混入に関係する流体制御機器構成部品の特定や動作条件等の適正化を図ることができる。
【発明を実施するための最良の形態】
【０００７】
次に、発明の実施の形態を説明する。
図１は本発明に関わる汚染監視システムの全体構成を示すブロック図、図２は汚染監視システムを構成する不純物分析システムのブロック図、図３は汚染監視処理の処理手順を示すフローチャート、図４は不純物分析装置の正面図、図５は不純物分析装置の平面図と側面図であり、図５（ａ）は平面図、図５（ｂ）は側面図、図６はラインセンサカメラと不純物との関係を示す模式図、図７は不純物分析装置に関する操作手順或いは動作手順を順に示すフローチャート、図８は不純物分析装置に関する不純物の画像による形状の確認についての操作手順或いは動作手順を順に示すフローチャート、図９は不純物の全体画像、拡大画像、及び汚染情報が映し出された表示画面全体を示す全体模式図、図１０は不純物の汚染情報が映し出された表示画面の一部を示す部分模式図である。
なお、本実施例においては、不純物が混入する制御流体として作動油を例に説明しているが、他の液体であっても、フロンガスのような気体であってもよく、流体であれば特に限定されるものではない。
【０００８】
まず、本発明に関わる汚染監視システムの全体構成について、図１により説明する。
該汚染監視システム２０において、分析センター２１には、不純物分析システム２２と該不純物分析システム２２に接続された監視通信装置２３とが配設され、該監視通信装置２３は、インターネット等のネットワーク２９と接続され、さらに該ネットワーク２９には、複数の加工処理プロセス２４（または流体駆動プロセス２５）や洗浄ライン３０に設けられた各情報端末２６が接続されている。
【０００９】
このような構成において、前記不純物分析システム２２は、後で詳述するように、不純物の大きさ、形状等の外観特性を測定し、各外観特性について不純物を順に並べた整列リストから不純物度数分布を求め、該不純物度数分布や所定の規格モデルに基づく分布等から、汚染レベルを判定すると共に、不純物の外観特性から関係加工処理プロセスを推定し、これらを汚染情報として蓄積する。そして、汚染があるレベル以上に悪化した場合には、監視通信装置２３に前記汚染情報と一緒に汚染信号を送信するようにしている。該汚染信号と汚染情報を受信した監視通信装置２３は、ネットワーク２９を通して即座に汚染警報を発して、前記洗浄ライン３０等の関係部署の情報端末２６には、製品３１の再洗浄を伝達指示すると共に、前記関係加工処理プロセスの情報端末２６には、汚染情報を伝達表示し、被加工品２７の汚染原因となる不純物の発生を抑制可能な加工条件等の検討を指示するようにしている。
【００１０】
すなわち、被洗浄物を洗浄して得た採取液に含まれる不純物を分析して汚染レベルまたは汚染原因を特定する不純物分析手段である不純物分析システム２２と、該不純物分析システム２２によって求めた前記汚染レベル等の汚染情報を各加工処理プロセス２４に伝達する監視通信手段である監視通信装置２３と、該監視通信装置２３にインターネット等のネットワーク２９を介して接続される情報端末２６とから構成され、汚染状態が所定の汚染レベル（以下、「限界汚染レベル」とする）を超えた場合に、前記監視通信装置２３が汚染警報を発すると共に、前記汚染情報を汚染に関わる関係加工処理プロセスの情報端末２６に伝達するので、汚染警報を発して製品３１の再洗浄を迅速に実施することができ、汚染されたままの製品３１がそのまま出荷されるのを防止することができる。更には、汚染に関わる関係加工処理プロセスを特定して加工条件等の適正化を図り、汚染の原因となる不純物の発生自体を抑制して、汚染の再発を確実に防止することができるのである。
【００１１】
また、流体駆動回路の作動油中への不純物混入による汚染についても、前記不純物分析システム２２は、不純物の大きさ、形状等の外観特性を測定し、各外観特性について不純物を順に並べた整列リストから不純物度数分布を求め、該不純物度数分布や、後述するＮＡＳ規格のような所定の規格モデルに基づく分布等から、汚染レベルを判定すると共に、不純物の外観特性から前記関係流体制御機器構成部を推定し、これらを汚染情報として蓄積する。そして、汚染があるレベル以上に悪化した場合には、監視通信装置２３に前記汚染情報と一緒に汚染信号を送信するようにしている。該汚染信号と汚染情報を受信した監視通信装置２３は、ネットワーク２９を通して即座に汚染警報を発して、該当する流体制御機器２８のある流体駆動プロセス２５の情報端末２６には、油圧によって動作する制御機械、加工機械等の流体制御機器２８の作動油の交換を伝達指示すると共に、汚染情報を伝達表示し、作動油の汚染原因となる不純物の発生を抑制可能な、関係流体制御機器構成部の動作条件等の検討を指示するようにしている。
【００１２】
すなわち、液体や気体から成る制御流体中に混入した不純物を分析して汚染レベルまたは汚染原因を特定する不純物分析手段である不純物分析システム２２と、該不純物分析システム２２によって求めた前記汚染レベル等の汚染情報を各流体駆動プロセス２５に伝達する監視通信手段である監視通信装置２３と、該監視通信装置２３にインターネット等のネットワーク２９を介して接続される情報端末２６とから構成され、汚染状態が限界汚染レベルを超えた場合に、前記監視通信装置２３が汚染警報を発すると共に、前記汚染情報を限界汚染レベルを超えた流体制御機器２８のある流体駆動プロセス２５の情報端末２６に伝達するので、汚染警報を発して限界汚染レベルを超えた流体制御機器２８の制御流体である作動油の交換を迅速に実施することができ、流体制御機器２８が損傷するのを防止することができる。更には、関係流体制御機器構成部を特定して動作条件等の適正化を図り、汚染の原因となる不純物の発生自体を抑制して、汚染の再発を確実に防止することができるのである。
【００１３】
次に、前述の不純物分析システム２２の詳細構成について、図２により説明する。
該不純物分析システム２２は、キーボード、操作ボタン、タッチパネル、音声入力機器、マウス等の入力部３２と、ディスプレイ等の表示装置やレーザプリンタ等の印刷機器に代表される出力部３８と、ディスプレイ表示、重量測定、ラインセンサカメラの駆動走査、画像取り込み等を制御するための制御プログラム、撮影画像を分析して不純物の外観特性を算出等するための画像処理プログラム、及び不純物度数分布や所定の規格モデル等に基づく分布等を求めて汚染レベル等の汚染情報を算出するための規格モデルプログラム等の各種プログラムを読み込むメインメモリ３７と、該各プログラムの指令を受けて各種処理を行う中央処理装置３６と、ハードディスクなどの記憶装置３９と、不純物を濾過や遠心分離などで抽出分離する不純物抽出部３３と、該不純物抽出部３３からの不純物の重量を測定する電子天秤等の重量測定部３４と、ラインセンサカメラ等のカメラや該カメラを走査駆動させるＸ−Ｙテーブル等の走査機構等から成る撮像部３５と、通信インターフェイス４０とから構成され、該通信インターフェイス４０を介して、前記監視通信装置２３に接続されている。
【００１４】
そして、前記記憶装置３９内には、前記撮像部３５より送られてきた不純物画像や、該不純物画像を分析して得られる各不純物の外観特性等の実績情報を蓄積する実績情報データベース３９ａと、該実績情報中の特定の外観特性に従って不純物を整列した整列リストを基に汚染レベルを判定するための規格モデル、該汚染レベルと比較して汚染警報発令の要否を判定するための限界汚染レベル、及び実際に各種処理を行う前記各種プログラム等の分析情報を蓄積する分析情報データベース３９ｂと、不純物の外観特性を不純物の種類、加工方法、加工条件、制御動作形態、制御動作条件等と関連づけた対応データから成る不純物情報を蓄積する不純物情報データベース３９ｄと、各加工処理プロセス２４での被加工部や各流体駆動プロセス２５の流体制御機器２８の構成部で付着または混入する可能性の高い不純物の種類や外観特性等のプロセス情報を蓄積するプロセス情報データベース３９ｃと、これらデータベース３９ａ・３９ｂ・３９ｃ・３９ｄから不純物度数分布、規格モデルによる分布、汚染レベル、汚染警報の要否、及び汚染発生の原因と推定された加工処理プロセスや流体制御機器構成部等の汚染情報を蓄積する汚染情報データベース３９ｅとを設けている。
【００１５】
次に、以上のような不純物分析システム２２を備えた汚染監視システム２０において、実際に汚染監視処理４１を行う手順について、図１乃至図３により説明する。
該汚染監視処理４１では、前記不純物分析システム２２で不純物分析処理４２を行い、その結果汚染信号が送信されると、前記監視通信装置２３が監視通信処理４３を行い、所定の情報端末２６に対して前記ネットワーク２９を介して再洗浄や作動油交換の指示及び汚染情報を伝達するようにしている。
【００１６】
このうちの、最初の不純物分析処理４２においては、前記不純物抽出部３３にて採取液や作動油から濾過や遠心分離等によって不純物を抽出分離し（ステップＳ１）、その後、抽出した不純物の総重量を前記重量測定部３４にて測定し（ステップＳ２）、測定後の不純物は前記撮像部３５にて走査機構によって駆動されるカメラ等で撮影される。得られた画像は、測定した不純物の総重量と一緒に前記実績情報データベース３９ａに取り込まれる（ステップＳ３）。
【００１７】
取り込まれた不純物画像に対しては、前記分析情報データベース３９ｂ内からメインメモリ３７に読み出された画像処理プログラムに基づき、中央処理装置３６が演算処理（ステップＳ４）を行い、各不純物の最大径、形状タイプ、色等を数値化して外観特性データとして前記実績情報データベース３９ａに蓄積する。そして、分析情報データベース３９ｂ内からはメインメモリ３７に前記規格モデルプログラムも読み出され、該規格モデルプログラムに基づいて、中央処理装置３６が整列処理（ステップＳ５）を行い、不純物度数分布や汚染レベル等の汚染データを取得して（ステップＳ６）、前記汚染情報データベース３９ｅに蓄積する。
【００１８】
また同時に、実績情報データベース３９ａ中の外観特性データを不純物情報データベース３９ｄ中の対応データと照合することにより、不純物の種類（鋼、鋳鉄、アルミといった金属、樹脂、ガラス等）、加工方法（切削、研磨、ドリル加工、圧延等）、加工条件（加工速度、加工温度、刃先形状等）を推測する（ステップＳ７）。なお、作動油の不純物の場合は、不純物の種類（鋼、鋳鉄、アルミといった金属、樹脂、ガラス等）、不純物が発生または通過した構成部品における制御動作形態（摺動、圧下等）、制御動作条件（動作速度、動作温度、動作圧等）を推測する。
【００１９】
そして、推測した不純物の種類、加工方法、加工条件、制御動作形態、制御動作条件等をプロセス情報データベース３９ｃ中のプロセス情報と照合することにより、汚染発生の原因となる加工処理プロセスや流体制御機器構成部を推定し（ステップＳ８）、この汚染原因推定データを前記汚染情報データベース３９ｅに蓄積するようにしている。
【００２０】
更に、ステップＳ６で得た汚染レベルを分析情報データベース３９ｂ内の各規格モデル毎に設けられた限界汚染レベルと比較し、該限界汚染レベルを超えるようであれば、監視通信装置２３に汚染信号が送信されて次処理の監視通信処理４３が実行される。
【００２１】
該監視通信処理４３に移行すると、汚染警報が発令され（ステップＳ１０）、洗浄ライン３０への再洗浄の指示や、作動油が汚染された流体制御機器２８のある流体駆動プロセス２５への作動油交換の指示を行う（ステップＳ１１）と共に、関係する加工処理プロセス２４や流体駆動プロセス２５へ汚染情報を伝達する（ステップＳ１２）。そして、該汚染情報をもとに、検出された不純物の発生を抑制するように加工条件や制御動作条件等の見直しを図るのである。なお、前述の各種データベースを備える前記記憶装置３９は、本実施例では不純物分析システム２２に設けるようにしたが、監視通信装置２３に備えるものであってもかまわない。
【００２２】
すなわち、以上のように、前記不純物分析手段である不純物分析システム２２または監視通信手段である監視通信装置２３には記憶手段である記憶装置３９を備え、該記憶装置３９は、測定による不純物の大きさや形状等の実績情報から成る実績情報データベース３９ａ、前記汚染レベルを判定するための規格モデルや前記汚染警報を発する基準となる限界汚染レベル等の分析情報から成る分析情報データベース３９ｂ、及び該実績情報データベース３９ａと分析情報データベース３９ｂとから得られた汚染情報から成る汚染情報データベース３９ｅを有するので、該不純物度数分布や所定の規格モデルによる分布に基づいた汚染レベルの判定、汚染異常有無の判定を行うことができる。
【００２３】
また、前記不純物分析手段である不純物分析システム２２または監視通信手段である監視通信装置２３には記憶手段である記憶装置３９を備え、該記憶装置３９は、測定による不純物の最大径や形状等の実績情報から成る実績情報データベース３９ａ、不純物の外観特性と不純物の種類や加工の方法等との間の対応関係を示す不純物情報から成る不純物情報データベース３９ｄ、各加工処理プロセスで発生する不純物に関するプロセス情報から成るプロセス情報データベース３９ｃ、及び該実績情報データベース３９ａを元に前記不純物情報データベース３９ｄとプロセス情報データベース３９ｃとから推定した前記関係加工処理プロセス等の汚染情報から成る汚染情報データベース３９ｅを有するので、加工処理プロセスの製品については、不純物付着に関係する加工処理プロセス２４の特定や加工条件等の適正化を図ることができ、流体駆動プロセス２５の流体制御機器２８については、制御流体である作動油への不純物混入に関係する流体制御機器構成部品の特定や動作条件等の適正化を図ることができるのである。
【００２４】
次に、前記不純物分析システム２２の好適な一例として、ラインセンサカメラを備える不純物分析装置１について説明する。
【００２５】
まず、該不純物分析装置１の全体構成について説明する。
図４、図５に示すように、不純物測定装置１は台２上の一側にディスプレイ３が配備され、該ディスプレイ３のすぐ下方に操作盤４が設置されている。ディスプレイ３の下方の台２の下には、前記中央処理装置３６、メインメモリ３７、記憶装置３９等を備えたパーソナルコンピュータ本体５が収納されている。
【００２６】
前記台２上のディスプレイ３と反対側の一端隅角部には吸引口６が開口され、この吸引口６上にはフィルターＦをセットできるようになっている。吸引口６上には、機械加工品等の表面に付着する金属屑やガラス粉等の不純物を洗浄水で洗い流した後に採取される採取液や、流体制御機器の流体駆動回路から取り出した作動油の注入容器としてのフラスコ７が、下端出口７ａを下向きにして立設されている。該フラスコ７上端の注入口７ｂには、キャップ１０が着脱可能に嵌着されている。
【００２７】
前記吸引口６の台２の下方には、採取液や作動油の受けタンク１７が配備され、その下方に吸引ポンプ８が設置され、図示せぬタンクを介して吸引口６に一端が接続されている。このタンク１７内に溜まった採取液または作動油を排棄できるように、タンク取り出し用の開閉扉９が設けられている。なお、操作盤４上には、各種操作ボタン４ａが配置されている。
【００２８】
前記台２上の中央部寄りには、開閉扉１１ａ付きの図示せぬ開口を下部に備えた収納ケース１１が設置され、該収納ケース１１内には不純物の重量を測定するための電子天秤等の重量測定器１２が配設されており、該重量測定器１２上には円形のフィルターＦ用の円筒状の載置台１３が設置されている。
【００２９】
該載置台１３の上面の計量皿１３ａ部付近には、乾燥機としてのヒータ１４が組み込まれており、計量皿１３ａに載置されたフィルターＦを該ヒータ１４で加熱して乾燥するようになっている。そして、フィルターＦの乾燥が済むと、重量が重量測定器１２で測定されるようになっている。
【００３０】
そして、前記収納ケース１１内において、載置台１３の上方にはラインセンサカメラ１５が下向きに配置されている。このラインセンサカメラ１５は、被写体である不純物を走査することによって撮影する撮像手段の一種であり、台２の横方向（Ｘ方向）と縦方向（Ｙ方向）に走査されるＸ−Ｙテーブルモータ等の走査機構１６の走査部１６ａに懸架される構成となっている。該走査部１６ａにはパルスモータやサーボモータが設けられており、走査部１６ａが載置台１３上のフィルターＦを全体的に網羅するように移動走査可能としている。
【００３１】
ここで、本実施例で使用するラインセンサカメラ１５について説明する。
従来より、不純物を観察して清浄度等の汚染レベルを測定するにはＣＣＤカメラが用いられ、該ＣＣＤカメラで撮影した不純物画像に対して画像処理等を施すことによって汚染レベルを測定している。一般に、このＣＣＤカメラは、２次元的な広がりを有するレンズ等で集光された光を画素単位で取得するエリアセンサカメラであるが、このようなエリアセンサカメラの場合、レンズ収差による誤差のために測定精度に限界がある。更に、このレンズ収差によって不連続となった画素単位のデータを連続化させるための補正処理には、多大な時間がかかるので、安易に画素数を増やすことができず、高画素化による画像品質の向上が難しい。
【００３２】
これに対して、本実施例のラインセンサカメラ１５の場合は、走査しながら被写体をライン上で捉えるので、従来のエリアセンサカメラのようなレンズ収差等による誤差が発生しにくく、測定精度や高画素化による画像品質について、その向上を図ることができる。つまり、ラインセンサカメラ１５は、本発明のような多種多様な外観特性を有する不純物を測定対象とし、高い測定精度と画像品質が求められる場合に、より適した撮像手段といえる。
【００３３】
すなわち、前記不純物分析手段である不純物分析装置１に撮像手段を備え、該撮像手段は、走査することによって不純物を撮影するラインセンサカメラ１５を有するので、エリアセンサカメラに比べてレンズ収差等による誤差が小さく、不純物の大きさ、形状、色等の外観特性を高品質で精度良く取得できるため、不純物度数分布、汚染レベル、汚染異常有無判定等の汚染情報の精度を大きく向上させることができる。
【００３４】
なお、上述においては、ラインセンサカメラ１５の位置を変化させることによって、不純物に対して走査する構成について述べているが、装置の構成によっては逆に、ラインセンサカメラ１５を固定して不純物の位置を変化させることによって、結果的にラインセンサカメラ１５が不純物を相対的に走査する構成としても良い。
【００３５】
つまり、図６に示すように、ラインセンサカメラ１５と不純物１８とを不純物分析装置１の上面より見た平面図に示すように、ラインセンサカメラ１５の位置を変化させる場合は、例えば、ラインセンサカメラ１５を実線矢印の方向に移動させることによって、不純物を走査することが可能となる。つまり、上記走査部１６ａを実線矢印の方向に移動させる。逆に、不純物１８側の位置を変化させる場合には、例えば、不純物１８が載せられる計量皿１３ａを支持する載置台１３を点線矢印の方向に移動させるのである。
【００３６】
次に、上記のように構成された不純物分析装置１の操作手順について説明する。
図７に示すように、パーソナルコンピュータ本体５の操作盤４のメインスイッチとなる前記操作ボタン４ａをＯＮすることにより、前記記憶装置３９内の制御プログラムが実行されると、ディスプレイ３上に下記のような操作手順あるいは動作手順が順に表示される。
【００３７】
まず、ステップＳ２１では、ソフトウェアが起動して、ディスプレイ３には、「濾紙（フィルターＦ）を測定します。計量皿（１３ａ）へ載せ、（操作盤４上の）ＯＫボタンを押して下さい」と表示される。
【００３８】
ステップＳ２２では、ディスプレイ３に、「濾紙重量を測定中です。しばらくお待ち下さい」と表示される。この間に、ヒータ１４でフィルターＦを乾燥したのち、重量測定器１２により濾紙の重量を測定する。
【００３９】
ステップ２３では、ディスプレイ３に、「濾紙重量の測定が終わりました。濾紙をフラスコ（７の下端出口７ａ（吸引口６））へセットし、サンプリング液を注入して下さい」と表示される。
【００４０】
ステップＳ２４では、ディスプレイ３に、「サンプリング液の注入が終わりましたら、（操作盤４上の）ＯＫボタン（４ａ）を押して下さい」と表示される。
【００４１】
ステップＳ２５では、ディスプレイ３に、「濾過中です。しばらくお待ち下さい」と表示される。
【００４２】
ステップＳ２６では、ディスプレイ３に、「濾過終了しました。濾紙を計量皿（１３ａ）へ載せ、（操作盤４上の）ＯＫボタン（４ａ）を押して下さい」と表示される。
【００４３】
ステップＳ２７では、ディスプレイ３に、「計測中です。しばらくお待ち下さい」と表示される。
【００４４】
この計測中には次のような処理が行われる。
【００４５】
［重量測定処理］
前記ヒータ１４で濾紙を乾燥した後に、不純物の付着した濾紙の重量Ｂを重量測定器１２によって測定し、該重量Ｂから、前記ステップ２２で測定した濾紙のみの重量Ａを引いて、不純物総重量（＝Ｂ−Ａ）を算出する。
【００４６】
［撮像処理］
重量測定後、ラインセンサカメラ１５を走査機構１６により走査させることによって、不純物を撮影する。この撮像処理で得られた不純物画像のデータは、前記パーソナルコンピュータ本体５に設けられた記憶装置３９内の実績情報データベース３９ａに記憶される。その後、前記分析情報データベース３９ｂ内の画像処理プログラムによって、以下の画像処理が行われる。
【００４７】
［二値化処理］
前記撮像処理後、不純物画像の平均輝度値を算出し、該不純物画像を、例えば「白」又は「黒」等の２色に分ける二値化処理を行う。
【００４８】
［径・総数算出処理］
続いて、二値化された不純物画像データに基づいて、各不純物の径を算出する。ここでいう径とは、一般的な円の意味を含むと共に、最大径（不純物上において互いに最も離れた端部同士の距離）や最小径（不純物上において互いに最も近接した端部同士の距離）の意味も含むものであり、不純物の大きさの寸法全般を意味する。
【００４９】
そして、前記二値化処理で二値化された不純物画像データに関し、互いに隣接し且つ同じ情報を具備する画素同士を１つの集合と認識する。すなわち、例えば、二値化された不純物画像データ中において、隣接した画素同士が「黒」等の同じ情報を具備するものであれば、その「黒」の情報を具備する画素同士を１つの集合とみなす処理を行うのである。これらの処理によって、該集合の径を画素数を計測することで求めたり、或いは該集合の総数を算出することによって、不純物の径や総数を算出することができる。
【００５０】
［形状分類処理］
更に、同じ情報を有する画素から成る前記集合の輪郭情報に基づいて、不純物の形状を複数のタイプに分類する。この分類の基準には、各製品について加工方法、加工条件等を変化させて発生する不純物の形状や、あるいは流体制御機器の各構成部品について制御動作形態、制御動作条件等を変化させて発生する不純物の形状を、あらかじめ類型化したものを用いるのが好ましい。例えば、単純な二次元形状では、長軸方向の長さと短軸方向の長さとの比率に基づく尖鋭度を、三次元形状では、粒状、螺旋状、舌状、Ｓ字状等を類型の基準とすることができる。
【００５１】
［色識別処理］
また、前記不純物画像データから、各不純物のＲＧＢといった色情報を検出し、該色情報を、不純物全体におけるの最大径、総重量、総数、及び各不純物における最大径、形状タイプの情報と一緒に、前記記憶装置３９内の実績情報データベース３９ａに記憶する。
【００５２】
なお、複数の不純物が凝集して互いに重なりあった状態が多く認められる場合には、前述のような二値化された情報からではなく、色情報を基にして各不純物の輪郭を決定するのが望ましい。これにより、凝集体の画像データから、該凝集体を構成する複数の不純物を分離して識別することができ、不純物の正確な総数を算出することができるようになる。更に、上に乗った不純物の陰となり、真の輪郭が決定できない不純物についても、円形や楕円形等の所定の形状まで補正処理、いわゆる太らせ処理を行うことにより、その概略形状を認識することができ、その径や形状タイプを決定することができるのである。
【００５３】
［不純物度数分布取得・汚染レベル判定処理］
また、後述のステップＳ３３で表示される表示画面の図９に示すように、各不純物を最大径の順に面積と一緒に整列して整列リスト４６を得たり、各最大径範囲毎の個数を自動的に算出して不純物度数分布４７を得ることができる。
【００５４】
更に、該不純物度数分布４７に加えて、図１０に示すＮＡＳ等級分布４８ように、予め定められた方式、この場合はＮＡＳ１６３８規格（以下、「ＮＡＳ規格」とする）のような既知の規格モデルに基づいて分類することもできる。このＮＡＳ規格では、１００ｍｌの採取液から抽出した不純物を、５〜１５μｍ、１５〜２５μｍ、２５〜５０μｍ、５０〜１００μｍ、１００μｍ以上の５段階にわたる粒径範囲（本実施例では最大径範囲）に分類し、規定された００（クリーン）〜１２（汚染大）までの等級で汚染度が評価される。そして各粒径範囲毎の等級で最も悪い、つまり数の最も大きい等級をＮＡＳ総合等級として、汚染レベルを示すことができる。例えば、図１０中では最大径１００μｍ以上の等級が３級と最も悪いので、ＮＡＳ総合等級（本実施例では総合判定）は３級となっている。
【００５５】
なお、該ＮＡＳ規格は油の汚染レベルを判定するものであるが、油の代わりに、製品を洗浄水で洗浄して得られた前記採取液について適用するようにしてもよい。なお、一般的な前記不純物度数分布やＮＡＳ総合等級等で表される分布とその汚染レベルは、分析情報データベース３９ｂ内の前記規格モデルプログラムの実行によって得られる。
【００５６】
［汚染原因推定処理］
前記処理で得られた最大径、形状タイプ、色等の外観特性データを前記不純物情報データベース３９ｄ中の対応データと照合することにより不純物の種類等を推測し、更に、この推測した不純物の種類等を前記プロセス情報データベース３９ｃ中のプロセス情報と照合することにより、汚染発生の原因となる加工処理プロセスや流体制御機器構成部を推定し、この汚染原因推定データは、前記不純物度数分布、汚染レベル等と一緒に、汚染情報として前記汚染情報データベース３９ｅに蓄積される。
【００５７】
ステップＳ２８では、ディスプレイ３に、例えば、測定結果が以下のように表示される。「計測が終了しました。粒子（不純物）の総重量＝１２ｍｇです。最大粒子の最大径＝１．０ｍｍ＊面積＝１．９［平方ミリメートル］です。計測データを保存しますか。ｙｅｓ／ｎｏボタンで選択する」と表示される。（ｙｅｓボタンを押したと仮定する。）
【００５８】
ここで、前記汚染レベルが前述の限界汚染レベルを超えていると、汚染信号と共に前記汚染情報を監視通信装置２３に送信する。
【００５９】
ステップＳ２９からステップＳ３０にかけて、ディスプレイ３に、「データを保存中です。しばらくお待ち下さい」と表示される。
【００６０】
ステップＳ３１からステップＳ３２にかけて、ディスプレイ３に、「粒子の形状を画像で確認しますか。ｙｅｓ／ｎｏボタンで選択する」と表示される。（ｙｅｓボタンを押したと仮定する。）
【００６１】
ステップＳ３３では、図９に示すように、ディスプレイ３上に、前記ラインセンサカメラ１５により映し出されている視野全面を示す全体画像４９と、最大径５１を示した不純物１８の拡大画像５０とが表示され、該拡大画像５０によって、不純物１８の詳細状況を確認することができる。
【００６２】
更に、粒子の画像による形状の確認についての操作手順を、次に詳しく説明する。
図８に示すように、ステップＳ４１からステップＳ４２については、上記ステップＳ３２で「粒子の形状を画像で確認しますか」と選択要求されるので、画像モニタするか否かをｙｅｓ／ｎｏボタンで選択する。（ｙｅｓボタンを押したと仮定する。）
【００６３】
ステップＳ４３では、ディスプレイ３に、「ご覧になりたい粒子を上記の計測データ上でマウス操作により選択し、ファイル（記憶）されているか、新たに入力するかをクリックして下さい」と表示される。
【００６４】
ステップＳ４４では、ディスプレイ３に、終了するか否かを選択するように、ｙｅｓ／ｎｏボタンが表示される。（ｎｏボタンを押したと仮定する）
【００６５】
ステップＳ４５からステップＳ４７にかけて、ファイルか入力かのうち、ファイルを選択すると、ファイルされた画像が表示されるが、ファイルされていない場合には、入力を選択すると、選択された粒子の位置にラインセンサカメラ１５が走査機構１６により移動し、ラインセンサカメラ１５が撮影中の画像を表示する（この状態では、画像としては記憶装置には記憶されていない）。なお、ラインセンサカメラ１５が映し出した粒子の画像を拡大したり、元の大きさに戻したりすることもできる。その他、粒子の計測データに基づき、粒子の大きさを最大径０．○○ｍｍ（例えば０．１ｍｍ）以上と設定すれば、設定した粒子に該当する個数を表示したり、各最大径毎の粒子の個数を表示したり、最大径と個数との関係をグラフにして表示したり、それらの表示した内容を印刷したりすることもできる。
【産業上の利用可能性】
【００６６】
本発明は、微細な汚染物質を抽出・分析して汚染状況を把握すると共に汚染原因を推定した後に、関連部署に汚染警報や汚染情報を伝達する監視システム全般に適用することができ、例えば、水の浄化設備における水質や、粉塵や花粉等による大気汚染を監視する用途にも適用することができる。
【図面の簡単な説明】
【００６７】
【図１】本発明に関わる汚染監視システムの全体構成を示すブロック図である。
【図２】汚染監視システムを構成する不純物分析システムのブロック図である。
【図３】汚染監視処理の処理手順を示すフローチャートである。
【図４】不純物分析装置の正面図である。
【図５】不純物分析装置の平面図と側面図であり、図５（ａ）は平面図、図５（ｂ）は側面図である。
【図６】ラインセンサカメラと不純物との関係を示す模式図である。
【図７】不純物分析装置に関する操作手順或いは動作手順を順に示すフローチャートである。
【図８】不純物分析装置に関する不純物の画像による形状の確認についての操作手順或いは動作手順を順に示すフローチャートである。
【図９】不純物の全体画像、拡大画像、及び汚染情報が映し出された表示画面全体を示す全体模式図である。
【図１０】不純物の汚染情報が映し出された表示画面の一部を示す部分模式図である。
【符号の説明】
【００６８】
１  不純物分析装置
１５  ラインセンサカメラ
２２  不純物分析手段
２３  監視通信手段
２４  加工処理プロセス
２５  流体駆動プロセス
２６  情報端末
２８  流体制御機器
２９  ネットワーク
３９  記憶装置
３９ａ  実績情報データベース
３９ｂ  分析情報データベース
３９ｃ  プロセス情報データベース
３９ｄ  不純物情報データベース
３９ｅ  汚染情報データベース
【図１】
2006349378.tif 000003
【図２】
2006349378.tif 000004
【図３】
2006349378.tif 000005
【図４】
2006349378.tif 000006
【図５】
2006349378.tif 000007
【図６】
2006349378.tif 000008
【図７】
2006349378.tif 000009
【図８】
2006349378.tif 000010
【図９】
2006349378.tif 000011
【図１０】
2006349378.tif 000012